(57)【要約】【課題】ユーザ効果を含む電子本生成方法及びその装置を提供する。【解決手段】本発明は、ユーザ効果を含む電子本生成方法及びその装置に関し、特に、電子本にユーザ入力によるユーザ効果を追加し、ユーザにより設定された出力順序に従ってユーザ効果を順次に再生するようにする、ユーザ効果を含む電子本生成方法及びその装置に関する。本発明は、電子本内で任意のコンテンツを選択するための入力が感知されれば、前記コンテンツに対する少なくとも１つのユーザ効果の入力を受け取る段階と、前記コンテンツに対して前記ユーザ効果に関する情報を含むメタデータを生成する段階と、前記メタデータを前記電子本のファイルに紐付けて格納する段階とを有することを特徴とする電子本生成方法及びその装置に関する。【選択図】図２
2014063491.tif 000002
【特許請求の範囲】
【請求項１】
電子本内で任意のコンテンツを選択するための入力が感知されれば、前記コンテンツに対する少なくとも１つのユーザ効果の入力を受け取る段階と、
前記コンテンツに対して前記ユーザ効果に関する情報を含むメタデータを生成する段階と、
前記メタデータを前記電子本のファイルに紐付けて格納する段階と、
前記ユーザ効果の再生のための入力が感知されれば、前記コンテンツの出力順序、構造情報、前記コンテンツに対する前記ユーザ効果の追加順序、前記ユーザ効果の出力順序、前記ユーザにより設定された前記ユーザ効果の再生順序のうち少なくとも１つに基づいて前記ユーザ効果を再生する段階と
を有することを特徴とする電子本生成方法。
【請求項２】
前記ユーザ効果は、
メディアファイル再生効果、イメージ表示効果、３次元表示効果、及びテキスト、手書き文字、またはハイライト表示効果のうち少なくとも１つを含むことを特徴とする請求項１に記載の電子本生成方法。
【請求項３】
前記ユーザ効果の入力を受け取る段階は、
前記ユーザ効果のための少なくとも１つのコンテンツの入力を受け取る段階を含み、
前記メタデータを生成する段階は、
前記入力されたコンテンツに関する情報を含んで前記ユーザ効果に関する情報を抽出する段階と、
前記ユーザ効果に関する情報に基づいて前記メタデータを生成する段階と、
前記入力されたコンテンツ及び前記メタデータを前記格納部に格納する段階と
を含むことを特徴とする請求項１に記載の電子本生成方法。
【請求項４】
前記ユーザ効果の入力を受け取る段階は、
前記ユーザ効果の再生順序の入力を受け取る段階を含み、
前記メタデータを生成する段階は、
前記ユーザ効果の再生順序に従って前記ユーザ効果に対する前記メタデータを整列する段階を含むことを特徴とする請求項１に記載の電子本生成方法。
【請求項５】
前記ユーザ効果の再生のための入力が感知されれば、前記ユーザ効果の再生順序に従って整列された前記メタデータに基づいてユーザ効果を順次に再生する段階をさらに有することを特徴とする請求項４に記載の電子本生成方法。
【請求項６】
前記ユーザ効果の再生のための入力は、
前記コンテンツに対するタッチ入力または近接入力のうちいずれか１つであることを特徴とする請求項４に記載の電子本生成方法。
【請求項７】
ユーザ入力を感知する入力部と、
少なくとも１つの電子本を格納する格納部と、
前記少なくとも１つの電子本を表示する表示部と、
前記入力部を介して前記電子本内で任意のコンテンツを選択するための入力が感知されれば、前記コンテンツに対する少なくとも１つのユーザ効果の入力を受け取るように前記入力部を制御し、前記コンテンツに対して前記ユーザ効果に関する情報を含むメタデータを生成し、前記メタデータを前記電子本のファイルに紐付けて前記格納部に格納する制御部と
を具備し、
前記制御部は、
前記入力部を介して前記ユーザ効果の再生のための入力が感知されれば、前記コンテンツの出力順序、構造情報、前記コンテンツに対する前記ユーザ効果の追加順序、前記ユーザ効果の出力順序のうち少なくとも１つに基づいて前記ユーザ効果を再生することを特徴とする電子本生成装置。
【請求項８】
前記ユーザ効果は、
メディアファイル再生効果、イメージ表示効果、３次元表示効果、及びテキスト、手書き文字、またはハイライト表示効果のうち少なくとも１つを含むことを特徴とする請求項７に記載の電子本生成装置。
【請求項９】
前記制御部は、
前記入力部を介して前記ユーザ効果のための少なくとも１つのコンテンツが入力されれば、前記入力されたコンテンツに関する情報を含んで前記ユーザ効果に関する情報を抽出し、前記ユーザ効果に関する情報に基づいて前記メタデータを生成し、前記入力されたコンテンツ及び前記メタデータを前記格納部に格納することを特徴とする請求項７に記載の電子本生成装置。
【請求項１０】
前記制御部は、
前記ユーザ効果の再生順序の入力を受け取るように前記入力部を制御し、前記ユーザ再生順序に従って前記ユーザ効果に対する前記メタデータを整列することを特徴とする請求項７に記載の電子本生成装置。
【請求項１１】
前記制御部は、
前記入力部を介して前記ユーザ効果の再生のための入力が感知されれば、前記ユーザ効果の再生順序に従って整列された前記メタデータに基づいてユーザ効果を順次に再生することを特徴とする請求項１０に記載の電子本生成装置。
【請求項１２】
前記ユーザ効果の再生のための入力は、
前記コンテンツに対するタッチ入力または近接入力のうちいずれか１つであることを特徴とする請求項１０に記載の電子本生成装置。
【請求項１３】
電子本内で任意のコンテンツを選択するための入力が感知されれば、前記コンテンツに対する少なくとも１つのユーザ効果の入力を受け取る段階と、
前記ユーザ効果の再生順序の入力を受け取る段階と、
前記コンテンツに対して前記ユーザ効果に関する情報を含むメタデータを生成する段階と、
前記ユーザ効果の再生順序に従って前記ユーザ効果に対する前記メタデータを整列する段階と、
前記メタデータを前記電子本のファイルに紐付けて格納する段階と
を有することを特徴とする電子本生成方法。
【請求項１４】
前記ユーザ効果の再生のための入力が感知されれば、前記ユーザ効果の再生順序に従って整列された前記メタデータに基づいてユーザ効果を順次に再生する段階をさらに有することを特徴とする請求項１３に記載の電子本生成方法。
【請求項１５】
前記ユーザ効果は、
メディアファイル再生効果、イメージ表示効果、３次元表示効果、及びテキスト、手書き文字、またはハイライト表示効果のうち少なくとも１つを含むことを特徴とする請求項１３に記載の電子本生成方法。
【発明の詳細な説明】
【技術分野】
【０００１】
本発明は、ユーザ効果を含む電子本生成方法及びその装置に関し、特に、電子本にユーザ入力によるユーザ効果を追加し、ユーザにより設定された出力順序に従ってユーザ効果を順次に再生するようにする、ユーザ効果を含む電子本生成方法及びその装置に関する。
【背景技術】
【０００２】
近年、電子本は、テキストトゥスピーチ（ＴＴＳ）技術を利用して製作過程で著作者により挿入された電子本内のコンテンツのアニメーション効果を再生することができるようになっている。このようなアニメーション効果は、ユーザが電子本を読むとき、相互作用する効果を提供するので、一般的な書籍を読むときよりユーザの興味を刺激する。
しかし、従来の電子本は、コンテンツ製作過程で著作者の意図で挿入された一連の効果のみを提供するだけで、ユーザの要請によるアニメーション効果の挿入は許容されていない。
これにより、電子本コンテンツの普遍化に比べて、ユーザの電子本コンテンツ活用度及び相互作用による興味が低下する問題がある。
【発明の概要】
【発明が解決しようとする課題】
【０００３】
本発明は、電子本にユーザによるユーザ効果を挿入するようにするユーザ効果を含む電子本生成方法及びその装置を提供する。
また、本発明の挿入されたユーザ効果をユーザが選択した順序、ユーザ効果挿入順序、電子本内のコンテンツ位置の順序などに従って再生するようにするユーザ効果を含む電子本生成方法及びその装置を提供する。
【課題を解決するための手段】
【０００４】
上記目的を達成するために、本発明による電子本生成方法は、電子本内で任意のコンテンツを選択するための入力が感知されれば、前記コンテンツに対する少なくとも１つのユーザ効果の入力を受け取る段階と、前記コンテンツに対して前記ユーザ効果に関する情報を含むメタデータを生成する段階と、前記メタデータを前記電子本のファイルに紐付けて格納する段階とを有することを特徴とする。
【０００５】
また、前記ユーザ効果は、メディアファイル再生効果、イメージ表示効果、３次元表示効果、及びテキスト、手書き文字、またはハイライト表示効果のうち少なくとも１つを含むことを特徴とする。
また、前記ユーザ効果の入力を受け取る段階は、前記ユーザ効果のための少なくとも１つのコンテンツの入力を受け取る段階を含み、前記メタデータを生成する段階は、前記入力されたコンテンツに関する情報を含んで前記ユーザ効果に関する情報を抽出する段階と、前記ユーザ効果に関する情報に基づいて前記メタデータを生成する段階と、前記入力されたコンテンツ及び前記メタデータを前記格納部に格納する段階とを含むことを特徴とする。
【０００６】
また、前記ユーザ効果の入力を受け取る段階は、前記ユーザ効果の再生順序の入力を受け取る段階を含み、前記メタデータを生成する段階は、前記ユーザ効果の再生順序に従って前記ユーザ効果に対する前記メタデータを整列する段階を含むことを特徴とする。
また、前記ユーザ効果の再生のための入力が感知されれば、前記ユーザ効果の再生順序に従って整列された前記メタデータに基づいてユーザ効果を順次に再生する段階をさらに有することを特徴とする。
また、前記ユーザ効果の再生のための入力は、前記コンテンツに対するタッチ入力または近接入力のうちいずれか１つであることを特徴とする。
また、前記ユーザ効果の再生のための入力が感知されれば、前記コンテンツの出力順序、構造情報、前記コンテンツに対する前記ユーザ効果の追加順序、及び前記ユーザ効果の出力順序のうち少なくとも１つに基づいて前記ユーザ効果を再生する段階をさらに有することを特徴とする。
【０００７】
また、上記目的を達成するために、本発明による電子本生成装置は、ユーザ入力を感知する入力部と、少なくとも１つの電子本を格納する格納部と、前記少なくとも１つの電子本を表示する表示部と、前記入力部を介して前記電子本内で任意のコンテンツを選択するための入力が感知されれば、前記コンテンツに対する少なくとも１つのユーザ効果の入力を受け取るように前記入力部を制御し、前記コンテンツに対して前記ユーザ効果に関する情報を含むメタデータを生成し、前記メタデータを前記電子本のファイルに紐付けて前記格納部に格納する制御部とを具備することを特徴とする。
【０００８】
また、前記ユーザ効果は、メディアファイル再生効果、イメージ表示効果、３次元表示効果、及びテキスト、手書き文字、またはハイライト表示効果のうち少なくとも１つを含むことを特徴とする。
また、前記制御部は、前記入力部を介して前記ユーザ効果のための少なくとも１つのコンテンツが入力されれば、前記入力されたコンテンツに関する情報を含んで前記ユーザ効果に関する情報を抽出し、前記ユーザ効果に関する情報に基づいて前記メタデータを生成し、前記入力されたコンテンツ及び前記メタデータを前記格納部に格納することを特徴とする。
【０００９】
また、前記制御部は、前記ユーザ効果の再生順序の入力を受け取るように前記入力部を制御し、前記ユーザ再生順序に従って前記ユーザ効果に対する前記メタデータを整列することを特徴とする。
また、前記制御部は、前記入力部を介して前記ユーザ効果の再生のための入力が感知されれば、前記ユーザ効果の再生順序に従って整列された前記メタデータに基づいてユーザ効果を順次に再生することを特徴とする。
また、前記ユーザ効果の再生のための入力は、前記コンテンツに対するタッチ入力または近接入力のうちいずれか１つであることを特徴とする。
また、前記制御部は、前記入力部を介して前記ユーザ効果の再生のための入力が感知されれば、前記コンテンツの出力順序、構造情報、前記コンテンツに対する前記ユーザ効果の追加順序、及び前記ユーザ効果の出力順序のうち少なくとも１つに基づいて前記ユーザ効果を再生することを特徴とする。
【００１０】
また、上記目的を達成するために、本発明による電子本生成方法は、電子本内で任意のコンテンツを選択するための入力が感知されれば、前記コンテンツに対する少なくとも１つのユーザ効果の入力を受け取る段階と、前記ユーザ効果の再生順序の入力を受け取る段階と、前記コンテンツに対して前記ユーザ効果に関する情報を含むメタデータを生成する段階と、前記ユーザ効果の再生順序に従って前記ユーザ効果に対する前記メタデータを整列する段階と、前記メタデータを前記電子本のファイルに紐付けて格納する段階とを有することを特徴とする。
【００１１】
また、前記ユーザ効果の再生のための入力が感知されれば、前記ユーザ効果の再生順序に従って整列された前記メタデータに基づいてユーザ効果を順次に再生する段階をさらに有することを特徴とする。
また、前記ユーザ効果は、メディアファイル再生効果、イメージ表示効果、３次元表示効果、及びテキスト、手書き文字、またはハイライト表示効果のうち少なくとも１つを含むことを特徴とする。
また、前記ユーザ効果の再生のための入力は、前記コンテンツに対するタッチ入力または近接入力のうちいずれか１つであることを特徴とする。
【発明の効果】
【００１２】
本発明によるユーザ効果を含む電子本生成方法及びその装置は、ユーザが電子本に挿入しようとする効果を自由に挿入することができるようにし、さらに相互作用効果が強化された電子本を生成することができるようにする。
また、本発明によるユーザ効果を含む電子本生成方法及びその装置は、ユーザが選択したシナリオに従って挿入された効果を再生するようにし、さらに効果的にユーザの興味を刺激し、電子本の使用を活性化するようにする。
【図面の簡単な説明】
【００１３】
【図１】本発明による電子本生成装置の構成を示すブロック図である。
【図２】本発明による電子本生成方法を示す流れ図である。
【図３】電子本のコンテンツをタッチ入力によって選択する例を示す図である。
【図４】ユーザ効果のためのコンテンツを入力した例を示す図である。
【図５】ユーザ効果のためのテキスト、手書き文字、及びハイライトを入力した例を示す図である。
【図６】電子本のメタデータの一例を示す図である。
【図７】ユーザ効果のメタデータの一例を示す図である。
【発明を実施するための形態】
【００１４】
本発明は、電子本を提供する装置の電子本編集のために適用できる。
また、本発明は、電子本を提供する装置であって、スマートフォン（Ｓｍａｒｔ  Ｐｈｏｎｅ）、携帯端末（Ｐｏｒｔａｂｌｅ  Ｔｅｒｍｉｎａｌ）、移動端末（Ｍｏｂｉｌｅ  Ｔｅｒｍｉｎａｌ）、ＰＤＡ（Ｐｅｒｓｏｎａｌ  Ｄｉｇｉｔａｌ  Ａｓｓｉｓｔａｎｔ）、電子本生成機能を有したＰＭＰ（Ｐｏｒｔａｂｌｅ  Ｍｕｌｔｉｍｅｄｉａ  Ｐｌａｙｅｒ）、パソコン、ノート型パソコン、ノートパッド（Ｎｏｔｅ  Ｐａｄ）、電子本生成機能を有したワイブロ（Ｗｉｂｒｏ）端末、タブレットパソコン（Ｔａｂｌｅｔ  ＰＣ）、スマートテレビ、スマート冷蔵庫などの一般的な電子本生成装置だけでなく、電子本機能を提供するすべての装置のために適用されることができる。
【００１５】
本明細書中で使用される技術的用語は、特定の実施形態を説明するためだけに使用されるものであって、本発明の思想を限定しようとする意図はないことに留意されたい。また、本明細書中で使用される技術的用語は、本明細書中で特に異なる意味として定義されない限り、本発明の属する分野における通常の知識を有する者により一般的に理解される意味として解釈すべきであり、過度に包括的な意味として解釈したり、過度に縮小された意味として解釈したりすべきものではない。
また、本明細書で使用される単数の表現は、文脈上明白に異なって意味しない限り、複数の表現を含む。本明細書中の「構成される」または「含む」などの用語は、明細書中に記載された様々な構成要素または様々な段階を必ずすべて含むものと解釈すべきではない。
以下、添付の図面を参照して本発明の実施形態をさらに具体的に説明する。
【００１６】
図１は、本発明による電子本生成装置の構成を示すブロック図である。
図１を参照すれば、本発明による電子本生成装置１００は、入力部１１０、通信部１２０、制御部１３０、電子本管理部１４０、格納部１５０、及び表示部１６０を含んで構成されることができる。
【００１７】
入力部１１０は、ユーザによる入力によって操作信号を生成することができる。入力部１１０は、キーパッド（ｋｅｙ  ｐａｄ）、ドームスィッチ（ｄｏｍｅ  ｓｗｉｔｃｈ）、ジョグホイール 、ジョグスイッチなどで構成されることができる。入力部１１０は、タッチセンサー、圧力センサー、近接センサー、電磁気センサーなどを備えることができ、タッチパッド（静圧／静電）、ＥＭＲ（Ｅｌｅｃｔｒｏ  Ｍａｇｎｅｔｉｃ  Ｒｅｓｏｎａｎｃｅ）パッド、ＥＭＩ（Ｅｌｅｔｒｏ  Ｍａｇｎｅｔｉｃ  Ｉｎｔｅｒｆｅｒｅｎｃ）パッドなどのパッド形態で構成されることができる。入力部１１０は、センサーを介して、ユーザの人体（例えば、手）や物理的なツール、スタイラスペン（Ｓｔｙｌｕｓ  Ｐｅｎ）など多様な入力手段によりユーザの入力を感知することができる。入力部１１０は、レイヤ構造を形成する複数のパッドを含むこともできる。
【００１８】
入力部１１０は、表示部１６０とレイヤ構造を形成し、入力スクリーンとして動作することができる。例えば、入力部１１０は、タッチセンサーを備える入力パッドを含み、表示部１６０と結合されたＴＳＰ（Ｔｏｕｃｈ  Ｓｃｒｅｅｎ  Ｐａｎｅｌ）で構成されることができる。
本発明の一実施形態によれば、入力部１１０は、電子本内の任意のコンテンツを選択してユーザ効果を追加するための入力を感知することができる。この際、入力部１１０は、ユーザ効果のための少なくとも１つのコンテンツを入力されることもできる。
また、本発明の一実施形態によれば、入力部１１０は、ユーザ効果を再生するための入力を感知することもできる。
【００１９】
通信部１２０は、外部とデータ通信を行うことができる。通信部１２０は、有線／無線通信モジュールを含むことができ、有線または無線通信技術を利用して外部とデータ通信を行うことができる。無線通信技術としては、ＷＬＡＮ（Ｗｉｒｅｌｅｓｓ  ＬＡＮ）、Ｗｉ−Ｆｉ、Ｗｉｂｒｏ（Ｗｉｒｅｌｅｓｓ  ｂｒｏａｄｂａｎｄ）、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）などを利用できる。無線近距離通信技術としては、Ｂｌｕｅｔｏｏｔｈ（登録商標）、ＲＦＩＤ（Ｒａｄｉｏ  Ｆｒｅｑｕｅｎｃｙ  Ｉｄｅｎｔｉｆｉｃａｔｉｏｎ）、赤外線通信（ＩｒＤＡ、ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）、ＺｉｇＢｅｅ（登録商標）などを利用でき、有線近距離通信技術としては、ＵＳＢ（Ｕｎｉｖｅｒｓａｌ  Ｓｅｒｉａｌ  Ｂｕｓ）、ＩＥＥＥ１３９４、インテル社のＴｈｕｎｄｅｒｂｏｌｔなどを利用できる。通信部１２０は、データ通信のためにＢｌｕｅｔｏｏｔｈ、ＺｉｇＢｅｅ、ＵＷＢ（Ｕｌｔｒａ  Ｗｉｄｅ  Ｂａｎｄ）、Ｗｉｒｅｌｅｓｓ  ＵＳＢ、ＮＦＣ（Ｎｅａｒ  Ｆｉｅｌｄ  Ｃｏｍｍｕｎｉｃａｔｉｏｎ）、Ｗｉｒｅｌｅｓｓ  ＬＡＮのうちいずれか１つ以上のための通信モジュールを含むことができる。
本発明の一実施形態によれば、通信部１２０は、少なくとも１つの電子本をダウンロードすることができる。通信部１２０は、電子本のメタデータを含む電子本ファイルをダウンロードすることができる。
【００２０】
制御部１３０は、電子本生成装置１００の全般的な動作のために各構成要素を制御することができる。例えば、制御部１３０は、電子本にユーザ効果を追加し、順次に再生するように電子本生成装置１００を制御することができる。
本発明の一実施形態によれば、制御部１３０は、入力部１１０を介して電子本内で任意のコンテンツを選択するための入力が感知されれば、コンテンツに対する少なくとも１つのユーザ効果を入力され、コンテンツに対してユーザ効果に関する情報を含むメタデータを生成することができる。制御部１３０は、生成されたメタデータを電子本のファイルに紐付けて格納部１５０に格納し、メタデータに基づいてユーザ効果を再生して表示するように表示部１６０を制御することができる。
本発明の一実施形態によれば、制御部１３０は、ユーザ効果の再生順序を入力されるように入力部１１０を制御し、ユーザ効果再生のための入力が感知されれば、ユーザ効果の再生順序に従って整列されたメタデータに基づいてユーザ効果を順次に再生することができる。
制御部１３０のさらに具体的な動作に関する説明は、以下で、図面を参照して詳しく説明する。
【００２１】
電子本管理部１４０は、パーシング部１４１、レイアウトツリー生成部１４２、ページ分割部１４３、及びレンダリング部１４４を含んで構成されることができる。パーシング部１４１は、電子本に含まれたコンテンツ全体に対してパーシングを行い、レイアウトツリー生成部１４２は、パーシングされたデータを利用してレイアウトツリーを生成する。ページ分割部１４３は、生成されたレイアウトツリーを表示部１６０のサイズ及びフォント情報に合わせてページ分割情報を生成する。レンダリング部１４４は、ページ分割部１４３で分割された情報を利用してレイアウトツリー生成部１４２で生成されたレイアウトツリーのうち現在ページに該当するレイアウトツリーを表示部１６０に表示するように制御部１３０に伝達する。
【００２２】
格納部１５０は、電子本生成装置１００のためのプログラムまたは命令が格納されることができる。制御部１３０は、格納部１５０に格納されたプログラムまたは命令を実行することができる。
格納部１５０は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えばＳＤまたはＸＤメモリなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリ、磁気ディスク、光ディスクのうち少なくとも１つのタイプの格納媒体を含むことができる。
【００２３】
本発明の一実施形態によれば、格納部１５０は、少なくとも１つの電子本を格納することができる。具体的には、格納部１５０は、少なくとも１つの電子本に対するメタデータを含む電子本ファイルを格納することができる。
本発明の一実施形態によれば、格納部１５０は、電子本を構成するコンテンツに対する少なくとも１つのユーザ効果を格納することができる。格納部１５０は、ユーザ効果に対する出力順序を含むユーザ効果のメタデータを格納することができる。
【００２４】
表示部１６０は、電子本生成装置１００で処理される情報を表示（出力）する。例えば、表示部１６０は、電子本と関連したＵＩ（Ｕｓｅｒ  Ｉｎｔｅｒｆａｃｅ）またはＧＵＩ（Ｇｒａｐｈｉｃ  Ｕｓｅｒ  Ｉｎｔｅｒｆａｃｅ）を表示することができる。
表示部１６０は、液晶ディスプレイ（ｌｉｑｕｉｄ  ｃｒｙｓｔａｌ  ｄｉｓｐｌａｙ、ＬＣＤ）、薄膜トランジスタ液晶ディスプレイ（ｔｈｉｎ  ｆｉｌｍ  ｔｒａｎｓｉｓｔｏｒ−ｌｉｑｕｉｄ  ｃｒｙｓｔａｌ  ｄｉｓｐｌａｙ、ＴＦＴ  ＬＣＤ）、有機発光ダイオード（ｏｒｇａｎｉｃ  ｌｉｇｈｔ−ｅｍｉｔｔｉｎｇ  ｄｉｏｄｅ、ＯＬＥＤ）ディスプレイ、フレキシブルディスプレイ（ｆｌｅｘｉｂｌｅ  ｄｉｓｐｌａｙ）、３次元ディスプレイ（３Ｄ  ｄｉｓｐｌａｙ）のうち少なくとも１つを含むことができる。
【００２５】
表示部１６０は、入力部１１０に含まれて構成されるタッチセンサー及び／または電磁気センサーと相互レイヤ構造を形成し、タッチスクリーンとして動作することができる。この際、タッチスクリーンとして動作する表示部１６０は、入力装置の機能を行うこともできる。
本発明の一実施形態によれば、表示部１６０は、制御部１３０の制御によって、電子本を表示することができ、ユーザの要請に従ってユーザ効果を再生して表示することができる。
図１に示された構成要素は必須なものではなく、それよりも多い構成要素を有するか、それよりも少ない構成要素を有する電子本生成装置１００が具現されることができる。
【００２６】
図２は、本発明による電子本生成方法を示す流れ図である。
図２を参照すれば、まず、制御部１３０は、電子本表示要請が発生したか否かを判断する（２１０）。
制御部１３０は、入力部１１０を介して、電子本表示要請に対応する入力信号が受信されるか否かを判断する。電子本表示要請は、ユーザの入力または電子本表示を必要とするアプリケーション、プログラム、サービスの駆動によって発生することができる。
【００２７】
電子本表示要請が発生すれば、制御部１３０は、電子本を表示する（２２０）。
電子本は、少なくとも１つのコンテンツを含んで構成されることができる。コンテンツは、例えば、テキスト、イメージ、動画、フラッシュイメージ、音響などを含むことができる。電子本は、格納部１５０に格納されたものであり、ユーザの要請に従ってまたは必要な場合、制御部１３０の制御によって通信部１２０を介してダウンロードされたものであることができる。電子本は、配布形態によってＰＤＦまたはｅＰｕｂなどのフォーマットを有することができる。
【００２８】
制御部１３０は、電子本を表示するように表示部１６０を制御する。
具体的には、制御部１３０は、電子本管理部１４０に電子本表示のための制御信号を伝達する。電子本管理部１４０は、制御信号に基づいて表示しようとする電子本ファイルを格納部１５０から獲得する。電子本管理部１４０は、獲得した電子本ファイルが含まれた電子本のコンテンツに対してパーシングを行う。また、電子本管理部１４０は、パーシングされたコンテンツに対するレイアウトツリーを生成し、表示部１６０のサイズ及びフォント情報に基づいてレイアウトツリーに対するページ分割情報を生成する。電子本管理部１４０は、生成されたレイアウトツリー及びページ分割情報に基づいて現在ページに表示されなければならないコンテンツに対するレイアウト情報を制御部１３０に伝達し、制御部１３０は、受信されたレイアウト情報に基づいて電子本のコンテンツを表示するように表示部１６０を制御する。
表示部１６０は、制御部１３０の制御によって電子本を構成する少なくとも１つのコンテンツを指定されたレイアウトで表示し、ユーザが読める形態として出力することができる。
【００２９】
次に、制御部１３０は、コンテンツ選択が発生するかを判断する（２３０）。
入力部１１０は、任意のコンテンツに対するタッチ入力または近接入力によって任意のコンテンツ選択に対応する入力信号を生成する。この際、入力信号は、選択されたコンテンツに関する情報を含むことができる。例えば、図３に示されたように、ユーザによって電子本に含まれたイメージ１０コンテンツに対するタッチ入力が発生すれば、入力部１１０は、これを感知し、イメージ１０に対する識別子（コンテンツ名、コンテンツ番号、コンテンツ容量などを含むことができる）、構造情報などを含む入力信号を生成することができる。
【００３０】
制御部１３０は、入力部１１０から電子本を構成する少なくとも１つのコンテンツのうち任意のコンテンツに対する選択に対応する入力信号が受信されるか否かを判断する。入力部１１０からコンテンツ選択に対応する入力信号が受信されれば、制御部１３０は、入力信号に基づいて、選択されたコンテンツに関する情報を獲得することができる。
コンテンツ選択が発生すれば、制御部１３０は、ユーザ効果を入力されることができる（２４０）。
コンテンツ選択によって、制御部１３０は、ユーザ効果入力モードに進入する動作を行う。
【００３１】
制御部１３０は、ユーザ効果のためのＵＩまたはＧＵＩを表示するように表示部１６０を制御することができる。例えば、制御部１３０は、ユーザ効果のためのコンテンツ入力ツール、テキストまたは手書き文字入力ツール、アニメーション効果入力ツールなどを表示するように表示部１６０を制御することができる。
表示されたＵＩまたはＧＵＩを利用したユーザ効果の追加入力を感知することができる。例えば、制御部１３０は、ユーザ効果のためのコンテンツの選択／入力、テキストまたは手書き文字の入力、電子本を構成するコンテンツまたはユーザ効果のために入力されたコンテンツのアニメーション効果に対する入力を感知することができる。
【００３２】
制御部１３０は、入力によってユーザ効果のための少なくとも１つのコンテンツを入力されることができる。すなわち、図４を参照すれば、制御部１３０は、電子本を構成するイメージコンテンツ１０以外にユーザ効果のための別個のコンテンツ２０を入力されることができる。
制御部１３０は、ユーザ効果のためのテキスト、手書き文字、またはハイライトのための入力を受けることができる。例えば、図５を参照すれば、制御部１３０は、電子本内の任意の位置で発生するテキスト入力３０、手書き文字入力４０、または電子本内の任意のコンテンツに対するハイライト入力５０を感知することができる。
【００３３】
本発明の一実施形態において、制御部１３０は、ユーザ効果に対する再生順序を入力されることができる。制御部１３０は、少なくとも１つのコンテンツに対する少なくとも１つのユーザ効果に対して再生順序を入力されることができる。１つのユーザ効果は、入力された再生順序に従って２回以上再生されることもできる。再生順序に対する入力がない場合、制御部１３０は、ユーザ効果に対するコンテンツの電子本内の位置順序またはユーザ効果が入力された時間順序に従ってユーザ効果の再生順序を決定することができる。
ユーザ効果は、電子本を構成するコンテンツまたはユーザ効果のために入力されたコンテンツであって、動画または音響の再生、イメージ表示、３次元効果を適用して表示する動作を含むことができる。または、ユーザ効果は、電子本を構成するか、またはユーザ効果のために入力されたテキスト、手書き文字、またはハイライトを表示する動作を含むことができる。ユーザ効果は、１つのコンテンツに対して複数個が入力されることができる。
【００３４】
次に、制御部１３０は、コンテンツに紐付けられたユーザ効果に関する情報を含むメタデータを生成する（２５０）。
格納部１５０は、電子本に対するメタデータをテーブル形態で格納することができる。図６を参照すれば、電子本に対するメタデータは、電子本識別子（ｕｎｉｑｕｅ  ｉｄｅｎｔｉｆｉｅｒ）１１００、電子本情報（ｉｎｆｏｒｍａｔｉｏｎ）１２００、コンテンツリスト（ｍａｎｉｆｅｓｔ）１３００、出力順序（ｓｐｉｎｅ）１４００、及び構造情報（ｇｕｉｄｅ）１５００を含んで構成されることができる。電子本識別子１１００は、電子本を識別するための情報であって、ＩＤに対応することができる。電子本情報１２００は、電子本をダウンロードした経路、題目、言語、著作者に関する情報、バージョンなどを含むことができる。コンテンツリスト１３００は、電子本を構成するコンテンツのリストであって、コンテンツ名、フォーマットなどに関する情報を含むことができる。コンテンツリスト１３００は、コンテンツのフォーマットを処理しないリーディングシステム（ｒｅａｄｉｎｇ  ｓｙｓｔｅｍ）のために当該コンテンツに対する代替情報（ｆａｌｌｂａｃｋ  ｉｎｆｏｒｍａｔｉｏｎ）を含むことができる。出力順序１４００は、コンテンツリスト１３００に表示されたコンテンツのうちコンテンツの集合または個別コンテンツ間の出力順序を示す。構造情報１５００は、電子本内でコンテンツが属している論理的な構造情報を示す。構造情報は、例えば、カバー、題目、目次、索引、参考文献、注釈など電子本の構成または電子本内でコンテンツの位置を記述するインデックス情報を含むことができる。
【００３５】
制御部１３０は、ユーザ効果に関する情報を含むメタデータを生成する。この際、制御部１３０は、電子本に対するメタデータにユーザ効果に対するメタデータを生成して挿入することができる。例えば、図４に示されたように、電子本のコンテンツ１０に対するユーザ効果のために別途のコンテンツ２０が入力され、入力された別途のコンテンツ２０に対する再生順序が入力されれば、制御部１３０は、電子本メタデータのコンテンツリスト１３００に、電子本のコンテンツ１０と連携して入力されたコンテンツ２０の情報を作成することができる。また、制御部１３０は、電子本メタデータの出力順序１４００に、入力されたコンテンツ２０の再生順序に関する情報を作成するか、または構造情報１５００に、コンテンツ２０が入力された位置などに関する情報を作成することができる。
【００３６】
電子本のメタデータに対する変更またはアクセスが不可能な場合、制御部１３０は、電子本のメタデータ内のコンテンツと連携して別途のメタデータを生成することができる。図７を参照すれば、制御部１３０は、コンテンツ識別子２１００、ユーザコンテンツリスト２２００、出力順序２３００、構造情報２４００、及びアニメーション情報２５００を含むユーザ効果メタデータを生成することができる。コンテンツ識別子２１００は、ユーザ効果が入力された電子本内のコンテンツに関する情報を示す。ユーザコンテンツリスト２２００は、ユーザ効果のために入力された別途のコンテンツリストを示す。ユーザ効果のための別途のコンテンツが入力されれば、制御部１３０は、入力されたコンテンツの情報を抽出することができる。例えば、制御部１３０は、コンテンツのファイル名、格納経路、フォーマットなどの情報を抽出することができる。また、制御部１３０は、抽出された情報に基づいてユーザコンテンツリスト２２００を作成することができる。出力順序２３００は、ユーザ効果に対して再生順序が入力された場合、入力された再生順序に関する情報を示す。制御部１３０は、出力順序２３００に従ってユーザコンテンツリスト２２００を順次に整列することもできる。構造情報２４００は、ユーザ効果のために入力されたコンテンツに対する構造情報であって、電子本内でコンテンツのインデックス情報を含むことができる。アニメーション情報２５００は、ユーザ効果がアニメーション効果を含むとき、当該アニメーション効果に関する情報を含む。アニメーション効果は、例えば、スライド、ポップアップ、回転などを含むことができる。
【００３７】
次に、制御部１３０は、メタデータを電子本ファイルに紐付けて格納する（２６０）。
ユーザ効果に対するメタデータを電子本メタデータに直接作成して生成した場合、制御部１３０は、新しいデータが作成された電子本のメタデータを格納することができる。この場合、電子本のメタデータは、電子本ファイルに含まれていてもよい。
ユーザ効果に対するメタデータを別に生成した場合、制御部１３０は、生成されたメタデータを電子本ファイルに紐付けて格納する。制御部１３０は、電子本に対するメタデータまたはメタデータ内のコンテンツに紐付けられたユーザ効果に対するメタデータを格納することができる。
【００３８】
制御部１３０は、格納されたメタデータに基づいて電子本表示のための過程を行い、ユーザ効果が追加された電子本をユーザが閲覧できるようにすることができる。
これにより、本発明の一実施形態による電子本生成方法は、ユーザが所望の多様な効果を電子本に紐付けて生成することによって、電子本に対するユーザの興味を高め、さらに効率的に電子本サービスを利用することができるようにする。
【００３９】
次に、制御部１３０は、ユーザ効果再生要請が発生したか否かを判断する（２７０）。
本発明の一実施形態において、制御部１３０は、入力部１１０を介してユーザ効果の再生のための入力が発生したか否かを判断する。ユーザ効果再生のための入力は、ユーザ効果が追加されたコンテンツに対するタッチ入力または近接入力であることができる。
【００４０】
ユーザ効果の再生のための入力が発生すれば、制御部１３０は、再生順序に従ってユーザ効果を再生する（２８０）。
ユーザ効果の再生のための入力が発生すれば、制御部１３０は、ユーザ効果に対するメタデータを検索する。制御部１３０は、メタデータからユーザ効果に対応するコンテンツの情報を検索し、対応するコンテンツ情報が存在すれば、コンテンツ情報に紐付けられたユーザ効果に関する情報を獲得する。制御部１３０は、ユーザ効果の出力順序に基づいて、少なくとも１つのユーザ効果を順次に再生する。
ユーザ効果の再生順序は、ユーザによって入力されたものであることができる。または、再生順序は、制御部１３０の初期値設定に従って決定されたものであることができる。初期値設定による再生順序は、例えば、ユーザ効果に対するコンテンツの電子本内の位置順序またはユーザ効果が入力された時間順序などに基づいて決定されることができる。
【００４１】
前述したように、本発明による電子本生成方法は、ユーザが選択したシナリオに従って挿入された効果を再生するようにして、さらに効果的にユーザの興味を刺激し、電子本の使用を活性化するようにする。
【００４２】
本発明の属する技術分野における通常の知識を有する者であれば、本発明の本質的な特性から逸脱しない範囲で多様な修正及び変形が可能だろう。したがって、本発明として開示された実施形態は、本発明の技術思想を限定するためのものではなく、説明するためのものであって、このような実施形態によって本発明の技術思想の範囲が限定されるものではない。本発明の保護範囲は、下記の請求範囲によって解釈されなければならず、それと同等な範囲内にあるすべての技術思想もまた、本発明の権利範囲に含まれるものと解釈すべきである。
【符号の説明】
【００４３】
１００  電子本生成装置
１１０  入力部
１２０  通信部
１３０  制御部
１４０  電子本管理部
１５０  格納部
１６０  表示部
【図２】
2014063491.tif 000003
【図６】
2014063491.tif 000004
【図７】
2014063491.tif 000005
【図１】
2014063491.tif 000006
【図３】
2014063491.tif 000007
【図４】
2014063491.tif 000008
【図５】
2014063491.tif 000009